(57)【要約】【課題】天然温泉水に類似させた任意のｐＨ値を持つ浴槽水を供給でき、さらに、浴槽水の濾過殺菌ができる浴場設備における浴槽水ｐＨ維持システムの提供を課題とする。【解決手段】人工的な温泉水として任意のｐＨ値を維持させる電解槽を備え、弱アルカリ性或いは弱酸性のイオン水を生成して、濾過装置を介して浴槽水を循環させると共に、清掃時には、電解槽により強酸性或いは強アルカリ性イオン水を生成して濾過装置を清掃殺菌する自動運転システムであることを特徴とする浴槽水ｐＨ維持システム。【選択図】図１
2005305356.tif 000002
【特許請求の範囲】
【請求項１】
ｐＨ値を任意に設定可能な天然温泉水に類似させた水を浴槽へ供給する浴場設備における浴槽水ｐＨ維持システムであって、
前記浴場設備は、前記浴槽への浴槽水供給管と、その浴槽水を循環又は排出させるための浴槽水回収管と、その浴槽水中の溶解不純物及び浮遊物を濾過する濾過装置と、前記浴槽水回収管からの浴槽水をその濾過装置へ循環させるポンプと、そのポンプに接続するポンプ吸込管及びポンプ排出管と、そのポンプ排出管から前記濾過装置へ接続する濾過水入力管と、そこで濾過された浴槽水を前記浴槽水供給管へ戻す濾過水回収管とを少なくとも備え、逐次濾過装置に浴槽水循環を行わせると共に、
さらに、電解槽及びその制御部からなるｐＨ維持装置と、前記ポンプ排出管及び濾過水入力管の間に、前記電解槽入口パイプ部に接続する第１の分岐管と前記浴槽回収管及びポンプ吸込管の間に、前記電解槽出口パイプ部に接続する第２の分岐管と、電解槽入口及び出口パイプ部にはそれぞれ制御信号入力端子により開閉する入口／出口電子弁、ｐＨ値の出力端子を持つ入口／出口ｐＨ計とを備え、
前記制御部は第１の所定時間毎又は時刻毎に前記入口／出口電子弁の端子へ開制御信号を出力し、前記浴槽水循環水の一部を流入させ、入口／出口ｐＨ計からのｐＨ値を入力して作業一時メモリー上で所定のｐＨ値と比較できるようにして、電解槽の正負電極端子に接続されている電子制御直流電源へ信号を出力し電解槽を自動的に稼動させ、所定のｐＨ値に到達すれば電解槽を休止させる第１のプログラム手段を少なくとも備えることを特徴とする浴槽水ｐＨ維持システム。
【請求項２】
前記制御部は、第２の所定時間毎、或は浴槽休止時間中に前記入口／出口電子弁端子へ開制御信号を出力すると共に、浴槽水供給管及び回収管にそれぞれ設けた電子弁に閉制御信号を出力し、その浴槽への水の入出流を遮断させ、前記濾過水回収管の出口とポンプ吸込管の入口の間に設けた電子弁へ開制御信号を出力し、入口／出口ｐＨ計からのｐＨ値を入力し、電解槽の正負電極へ強酸性イオン水が生成するように中心電極に正、円筒状電極に負を印加或いは強アルカリ性イオン水が生成するように中心電極に負、円筒状電極に正を印加して、電解槽を自動的に稼動させ、所定の強酸性或いは強アルカリ性のイオン水ｐＨ値に到達してから所定時間経過してから濾過装置下の殺菌洗浄排出弁の開信号を出力し、濾過槽を休止させる第２のプログラム手段を少なくとも備えることを特徴とする請求項１記載の浴槽水ｐＨ維持システム。
【請求項３】
前記濾過装置は、砂濾過装置であって、濾過中の不純物及び浮遊物を取除くために、その砂濾過装置は濾過砂の上側から流入させるように、さらに前記濾過水入力管に設けた第３の分岐管と、砂濾過装置の下側に設けた第４の分岐管と、その装置の上側に第５の分岐管と、第３の分岐管と第４の分岐管を接続した殺菌洗浄水入力管と、第５の分岐管に接続した殺菌洗浄水排出管とをさらに備え、
前記制御部は、所定時間或いは浴槽休止時間中に前記入口／出口電子弁端子へ開制御信号を出力すると共に、浴槽水供給管及び回収管はそれぞれ設けた電子弁は閉制御信号を出力し、その浴槽への水の入出流を遮断させ、前記第３の分岐管と第５の分岐管に設けた電子弁に閉制御信号を、第３の分岐管と第４の分岐管間に設けた電子弁に開制御信号を、第４の分岐管と前記濾過水回収管の間に設けた電子弁に閉制御信号を、殺菌洗浄水排出管に設けた電子弁に開制御信号を出力し、入口／出口ｐＨ計からのｐＨ値を入力し、電解槽の正負電極へ強酸性イオン水が生成するように中心電極に正、円筒状電極に負を印加或いは強アルカリ性イオン水が生成するように中心電極に負、円筒状電極に正を印加して電解槽を自動的に稼動させ、所定の強酸性或いは強アルカリ性のイオン水ｐＨ値に到達してから所定時間経過してから電解槽を休止させる第３のプログラム手段を少なくとも備えることを特徴とする請求項１記載の浴槽水ｐＨ維持システム。
【発明の詳細な説明】
【技術分野】
【０００１】
本発明は、浴槽水のｐＨ値を任意の値に維持するシステムに関し、詳しくは、任意のｐＨ値を持つ温泉水の維持並びに殺菌・濾過循環などの装置システムに関する。
【背景技術】
【０００２】
従来、温泉浴の疲労回復効果や、病気治療効果に替わる物として、入浴剤や、湯の華を用いたものが用いられていた。また、特許文献１には、無機物や鉱物イオンを溶出させて、本当の温泉が含有する鉱物的性質を備えた本格的な温泉水を大量に安価に作り出すことができる温泉水製造装置が提案されている。
【０００３】
この装置では、鉱物イオンを持つ鉱物を焼成ベースと共に焼成して形成した鉱物質多孔体を圧力容器に収納し、高圧蒸気を供給して鉱物イオン蒸気を発生させ、鉱物イオン蒸気を温水と混合して凝縮させて温泉水を製造するものであった。この発明によれば、様様な鉱物を原料とすることにより各種イオンを含む温泉に似た浴槽水を製造することができるが、原料の焼成、装置の維持管理に経費を要する問題があった。
【０００４】
特許文献２には、温泉水の病気治癒効果及び殺菌効果をより強力にする方法が提案されている。この発明では、温泉水或いは温泉水に水を加えた液体を電気分解して、温泉水に含まれる陽イオン或いは陰イオンを濃縮してその作用を増強又は緩和することが開示されている。
【０００５】
しかし、この発明では、天然温泉水の効能をさらに増強させるものであり、原料となる天然温泉水が入手できる環境でなければ実施できない問題があった。
【０００６】
今日、入浴施設の浴槽水のｐＨは、補給される水道や井戸の補給水の性質に左右されている。この浴槽水のｐＨ値を任意の値に維持することができれば、天然温泉でのアルカリ泉の美肌効果、古くなった皮膚の除去効果や、酸性泉と同様の殺菌・除菌や肌の引き締め効果などの入浴効果を与える浴槽水を得ることができる。しかし、入浴水のｐＨを変えるために、化学的な薬剤を用いることは、入浴する人体に悪影響或いは危険を与える恐れがあった。このため、薬剤を用いないｐＨ維持方法が望まれていた。
【０００７】
また、公衆が利用する温泉施設では、浴槽水を濾過して循環させているが、濾過装置の中でレジオネラ菌などの細菌が増殖・生息することが判明し、次亜塩素酸ソーダなどの高濃度使用で定期的な消毒・滅菌が行われている。しかしながら、砂濾過或いはカートリッジフィルターなどの濾過材に内部の殺菌洗浄が難しい問題があった。
【０００８】
また、浴槽水では、体から溶出した脂肪や、皮膚などの繊維が溶出物或いは固形物として濾過装置及び濾過フィルター材に付着し、洗浄が難しい問題があった。
【０００９】
図４に従来の浴場設備に於ける浴槽水不純物濾過方法を示す。図４（ａ）は通常のフィルター或いはカートリッジ形の濾過装置での消毒液によるフィルターの消毒方法を示す図である。
【００１０】
通常の濾過モードでは、浴槽水１０ａは、浴槽１０からを回収管１２によりポンプ１３により吸込み、濾過水入力管１７を通過して濾過装置１６へ入る。その浴槽水１０ａを濾過して濾過水回収管１８より浴槽水供給管１１により浴槽１０へ戻り、以上の流れを繰り返し浴槽水を濾過している。
【００１１】
ここで、その濾過装置１６のフィルターを消毒液で消毒する消毒モードでは、開閉弁１１ａ、１２ａを閉めて、消毒液が浴槽へ行かないようにし、消毒液を循環させるために開閉弁１２ｂを開き、消毒液をその入力分岐口Ｓから流入させながら、ポンプ１３によりフィルターに消毒液を循環させて、濾過装置１６を消毒していた。
【００１２】
図４（ｂ）は、砂濾過装置３６での消毒液による砂の消毒方法を示す図である。通常の濾過モードでは、図４（ａ）と同様な流れであり、浴槽水１０ａは砂濾過装置３６の上側から下側へ流入させ不純物、浮遊物などの流れを砂で止めていた。そこで、これを取除いたり消毒するには、砂濾過装置３６の下側から上側へ流入させるのが効果的である。
【００１３】
そこで、図４（ｂ）に示すように、消毒モードでは、安全のため図４（ａ）と同様に、開閉弁１１ａ、１２ａを閉め、１２ｂを開き、次に消毒液を入力分岐口Ｓから流入させ、ポンプ１３により吸込ませる。さらに、開閉弁３６ｄを締め、３６ｂを開き、分岐管２３より消毒液の入った浴槽水１０ａを管路３５に導き、さらに開閉弁３６ｃを開いて、分岐管２４より砂濾過装置３６「の下側から流入させ、開閉弁３６ａを開き、砂濾過装置３６の上側の分岐管２５から外へ排出するようにしていた。
【００１４】
いづれにしても、消毒には多くの作業時間と、その消毒液の後始末などの作業があり、有害な廃液が発生する問題があった。
【００１５】
【特許文献１】特開２００１−８０３号公報（第２、３頁、第１図）
【特許文献２】特開２０００−１２６７７２号公報（第２、３頁、第１図）
【発明の開示】
【発明が解決しようとする課題】
【００１６】
本発明は、前記の問題に鑑み、任意のｐＨ値を持つ浴槽水を維持することができる浴槽水ｐＨ維持システムと、汚濁物或いは浴槽水に生息する菌類を濾過する装置を強酸性イオン水で消毒・滅菌・洗浄可能な浴槽水ｐＨ維持システムを提供することを課題とする。
【課題を解決するための手段】
【００１７】
前記の課題を解決するため、本発明の浴槽水ｐＨ維持システムは、ｐＨ値を任意に設定可能な天然温泉水に類似させた水を浴槽へ供給する浴場設備における浴槽水ｐＨ維持システムであって、
前記浴場設備は、前記浴槽への浴槽水供給管と、その浴槽水を循環又は排出させるための浴槽水回収管と、その浴槽水中の溶解不純物及び浮遊物を濾過する濾過装置と、前記浴槽水回収管からの浴槽水をその濾過装置へ循環させるポンプと、そのポンプに接続するポンプ吸込管及びポンプ排出管と、そのポンプ排出管から前記濾過装置へ接続する濾過水入力管と、そこで濾過された浴槽水を前記浴槽水供給管へ戻す濾過水回収管とを少なくとも備え、逐次濾過装置に浴槽水循環を行わせると共に、
さらに、電解槽及びその制御部からなるｐＨ維持装置と、前記ポンプ排出管及び濾過水入力管の間に、前記電解槽入口パイプ部に接続する第１の分岐管と前記浴槽回収管及びポンプ吸込管の間に、前記電解槽出口パイプ部に接続する第２の分岐管と、電解槽入口及び出口パイプ部にはそれぞれ制御信号入力端子により開閉する入口／出口電子弁、ｐＨ値の出力端子を持つ入口／出口ｐＨ計とを備え、
前記制御部は第１の所定時間毎又は時刻毎に前記入口／出口電子弁の端子へ開制御信号を出力し、前記浴槽水循環水の一部を流入させ、入口／出口ｐＨ計からのｐＨ値を入力して作業一時メモリー上で所定のｐＨ値と比較できるようにして、電解槽の正負電極端子に接続されている電子制御直流電源へ信号を出力し電解槽を自動的に稼動させ、所定のｐＨ値に到達すれば電解槽を休止させる第１のプログラム手段を少なくとも備えることを特徴とする。
【００１８】
また、前記制御部は、第２の所定時間毎、或は浴槽休止時間中に前記入口／出口電子弁端子へ開制御信号を出力すると共に、浴槽水供給管及び回収管にそれぞれ設けた電子弁に閉制御信号を出力し、その浴槽への水の入出流を遮断させ、前記濾過水回収管の出口とポンプ吸込管の入口の間に設けた電子弁へ開制御信号を出力し、入口／出口ｐＨ計からのｐＨ値を入力し、電解槽の正負電極へ強酸性イオン水が生成するように中心電極に正、円筒状電極に負を印加して、電解槽を自動的に稼動させ、所定の強酸性イオン水ｐＨ値に到達してから所定時間経過してから濾過装置下の強酸性イオン排出弁の開信号を出力し、濾過槽を休止させる第２のプログラム手段を少なくとも備えることを特徴とする。
【００１９】
また、前記濾過装置は、砂濾過装置であって、濾過中の不純物及び浮遊物を取除くために、その砂濾過装置は濾過砂の上側から流入させるように、さらに前記濾過水入力管に設けた第３の分岐管と、砂濾過装置の下側に設けた第４の分岐管と、その装置の上側に第５の分岐管と、第３の分岐管と第４の分岐管を接続した強酸性イオン水入力管と、第５の分岐管に接続した強酸性イオン水排出管とをさらに備え、
前記制御部は、所定時間或いは浴槽休止時間中に前記入口／出口電子弁端子へ開制御信号を出力すると共に、浴槽水供給管及び回収管はそれぞれ設けた電子弁は閉制御信号を出力し、その浴槽への水の入出流を遮断させ、前記第３の分岐管と第５の分岐管に設けた電子弁に閉制御信号を、第３の分岐管と第４の分岐管間に設けた電子弁に開制御信号を、第４の分岐管と前記濾過水回収管の間に設けた電子弁に閉制御信号を、強酸性イオン水排出管に設けた電子弁に開制御信号を出力し、入口／出口ｐＨ計からのｐＨ値を入力し、電解槽の正負電極へ強酸性イオン水が生成するように中心電極に正、円筒状電極に負を印加して電解槽を自動的に稼動させ、所定の強酸性イオンｐＨ値に到達してから所定時間経過してから電解槽を休止させる第３のプログラム手段を少なくとも備えることを特徴とする。
【発明の効果】
【００２０】
任意のｐＨ値を持つ浴槽水を維持することにより、天然温泉に替わる効果の浴場設備を提供することができる。また、本発明のシステムを複数設置すれば、同一施設内で、弱アルカリ泉、弱酸性泉などの両方を提供可能であり、多様な浴槽を持つ温泉施設を経済的に実現することができる。
【００２１】
また、本発明の浴槽水のｐＨ維持システムの濾過循環制御手段によれば、濾過装置の濾過材の消毒洗浄を効率的に行うことができる。
【００２２】
さらに、殺菌剤として安定化二酸化塩素を、活性化して使用することができるため、従来の殺菌剤のような高濃度の残留塩素を含まない浴槽水を給水することができる浴場設備を提供することができる。
【発明を実施するための最良の形態】
【００２３】
発明を実施するための最良の形態を、図に基づいて詳細に説明する。
【００２４】
図１は、浴場設備の浴槽水ｐＨ維持システムの第１の実施例を示す構成図である。
【００２５】
図１において１は浴槽水ｐＨ維持システム、１０は浴槽、１０ａは浴槽水、１１は浴槽水供給管、１２は浴槽水回収管を示す。それらの配管路には、それぞれ開閉制御信号端子を備えた供給管電子弁１１ａ、回収管電子弁１２ａを設けてある。さらに、それらの配管１１、１２を直結する直結電子弁１２ｂを設ける。
【００２６】
１３は、浴槽１０の水を循環させるポンプ、１４は浴槽水回収管１２に接続するポンプ吸込管、１５はポンプ排出管であり、その配管路にはポンプ用弁１３ａ、逆支弁１３ｂを備える。
【００２７】
１６は濾過装置であり、フィルターが入っている。フィルターは交換容易なカートリッジ式が望ましい。１７は、前記ポンプ排出管１５からその濾過装置１６の上側の入口へ接続する濾過水入力管である。
【００２８】
１８は、その濾過装置１６の下側の出口へ接続する濾過水回収管，１６ａは濾過装置１６内の水抜き弁又は殺菌洗浄水排出電子弁を示す。
【００２９】
次に、ｐＨ値維持装置９０へ、浴槽１０と濾過装置１６との間を循環する浴槽水１０ａの一部（又は全部）を取り込みイオン化した水を戻すための分岐管を示す。
【００３０】
２１は、その浴槽水取り込みのための第１の分岐管、２２はイオン化した水を戻すための第２の分岐管である。
【００３１】
９１は電解槽を示し、９９はコンピュータシステムである制御部を示す。電解槽９１内の、９２は負又は正の中心棒電極、９３は隔膜、９４は正又は負の円筒状電極を示す。
【００３２】
電解槽９１は、その中に電解質溶液９１ｂを充填し、上蓋９１ａで密閉され、前記隔膜９３は円筒パイプ形状のイオン交換隔膜である。
【００３３】
隔膜９３は、本願発明者の一人が開示した発明（平成１５年１２月１８日出願の特願２００３−４２１６９９）であり、その構成は以下の通りである。
【００３４】
すなわち、粒状又は破砕されたセラミックに加熱した水溶性高分子材を混練し、補強用布状繊維上に圧出成形した平板型材とし、前記円筒パイプ内径に相当する円筒状の型材に捲きつけて乾燥させたセラミック混入樹脂バインダー層隔膜である。
【００３５】
以上の構造の円筒状隔膜９３は、円筒部下側から処理水を入力し、円筒部上側へ処理水が上昇する。その隔膜９３の両側にある中心棒電極９２、円筒状電極９４に印加された直流電界により、上昇処理水がイオン化され円筒部上側までにイオン水が生成される電解槽９１を形成する。
【００３６】
その円筒状隔膜９３の下側へ処理水が導かれるように電解質溶液９１ｂの中をとおり、処理水の入口パイプ部９０ａが接続され、一方、その入口パイプ部９０ａの反対側は、第１の分岐管２１へ接続される。その入力パイプ部の電解槽９１の上蓋９１ａの上部には入口ｐＨ計９５ａと入口電子弁９６ａが設けられている。
【００３７】
次に、円筒状隔膜９３から上昇した処理水はイオン水となり隔膜９３上部出口に設けられて気水分離槽９０ｃへ入る。
【００３８】
ここで、生成イオン水中のガスが、ガス抜きパイプ９０ｆから排出される。イオン水は気水分離槽９０ｃの円筒側壁に接続される出口パイプ部９０ｂから排出する。出口パイプ部９０ｂは前記第２の分岐管２２に接続され、排出イオン水はポンプ吸込管１４へ入り、ポンプ１３に吸込まれ、イオン水の一部又は全部を循環させることができる。
【００３９】
出口パイプ部９０ｂにも、出口ｐＨ計９５ｂ及び出口電子弁９６ｂが設けられる。
【００４０】
また、隔膜９３の下側円筒部はさらに分岐してスラッジ抜きパイプ９０ｆが設けられ、そのスラッジ抜きパイプ９０ｆは電解質溶液の中を通り電解槽上蓋９１ａから外部へ電子弁９６ｃを通ってスラッジを排出可能としている。
【００４１】
図３を参照して制御部９９の構成を説明する。制御部９９は、少なくともＨＤＤなどの記憶装置９９ｌ、入力装置部９９ｍ、表示装置９９ｎ、電解槽９１の中心棒電極９２、円筒状電極９４の間にＩ／Ｆ部を介して制御信号で直流電圧を印加する直流電源９９ｚ、その電源９９ｚの出力端子９９ｘ、９９ｙと、各電子弁９６ａ、９６ｂ、９６ｃ、１１ａ、１２ａ、１２ｂ、１６ａへの出力端子９９ｐから９９ｑ、入口ｐＨ計９５ａ、出口ｐＨ計９５ｂからの入力端子９９ａ、９９ｂが設けられて、それらを制御するＣＰＵが備えられている。制御部９９はコンピュータシステムで構成されている。
【００４２】
図１に示す第１の実施例の浴槽水ｐＨ維持システム１は以下のように動作する。
【００４３】
（１）ｐＨ維持装置９０の制御部９９のコンピュータシステムが初期状態にリセットされているときは、第１の分岐管２１から電解槽入口パイプ部９０ａへの電子弁９６ａと、出口パイプ部９０ｂから第２分岐管２２への電子弁９６ｂとは、閉制御信号を受けて、電解槽９１と浴槽水１０ａとは絶縁されている。
【００４４】
なお、初期状態では電子弁１１ａ，１２ａは開制御信号により開いており、電子弁９６ｃ、１２ｂ、１６ａは閉制御信号により閉まっている。
【００４５】
（２）以上のように最初電解槽９１が隔離されている初期状態では、浴槽１０の浴槽水１０ａはポンプ１３により浴槽水回収管１２を介して吸込まれ、濾過水入力管１７から濾過装置１６上部側へ入る。濾過された浴槽水１０ａは、濾過装置１６の下部側から出て濾過水回収管１８を通って浴槽水供給管１１へ入り、浴槽１０へ戻る。以上の動作を繰り返す。
【００４６】
（３）ここで、制御部９９のＣＰＵは、予めプログラムされている前記第１のプログラム手段を実行する。すなわち、制御部９９のＣＰＵはポンプ１３により濾過装置１６を通して浴槽水１０ａを循環させている状態において、第１の所定時間毎又は時刻毎にインターフェイス部を介して出力端子９９ｐ、９９ｑへ開制御信号を出力する。その信号は入口／出口電子弁９６ａ／９６ｂの制御端子へ入力され入口／出口電子弁９６ａ、９６ｂがそれぞれ開く。
【００４７】
この結果、浴槽水の循環の一部をｐＨ維持装置９０へ循環させると共に、入口ｐＨ計９５ａ、出口ｐＨ計９５ｂからのｐＨ値を接続されている９９ａ，９９ｂへ入力し，Ａ／Ｄ変換器、インターフェイス部などを介してＣＰＵの作業メモリー（一時メモリーＲＡＭ）上に読込み、一定時刻毎、入口／出口毎にその入力されたｐＨ値の単位時間あたりの増加率と、予め定めた所定のｐＨ値に到達しているかを算出できるようにする。
【００４８】
（４）次にＣＰＵは、直流電源９９ｚの制御端子へインターフェイス部を介して信号を送り、直流電源９９ｚの直流出力端子９９ｘ、９９ｙからそれらに接続されている負又は正の中心棒電極９２、正又は負の円筒状電極９４の両電極端子へ電圧を印加する。これによって隔膜９３の両側の電極間に直流電界が発生する。
【００４９】
（５）以上の制御の結果、電解槽９１へ第１の分岐管２１から流入する浴槽水１０ａは入口パイプ部９０ａを通り、隔膜９３円筒部下側から処理したい水が流入し、イオン化されながらその生成イオン水は隔膜９３円筒部上側へ上昇し、気水分離槽９０ｃでガス抜きされ、出口パイプ部９０ｂを通り、第２の分岐管２２からポンプ１３に吸込まれる。この動作を繰り返す。
【００５０】
（６）この繰り返しの間に、制御部９９のＣＰＵは、プログラム手順中で一定時刻毎に読込んだ入口／出口のｐＨ値を予め定めた天然温泉水に類似させたｐＨ値と比較して、そのｐＨ値に到達又は一致すれば自動的にリセットし、電解槽を休止状態にして、次の開始時間まで待ち状態とする。
【００５１】
なお、ここで予め定めたｐＨ値が、アルカリイオン水の範囲にあるときは中心棒電極９２が負、円筒状電極９４が正となるように直流電圧の極性を印加し、一方、予め定めたｐＨ値が酸性イオン水の範囲にあるときは、中心棒電極９２が正、円筒状電極９４が負となるように直流電圧の極性を印加する。
【００５２】
（７）次に、制御部９９のＣＰＵは、第２の所定時間毎或いは浴槽休止時間中に以下の第２のプログラム手段を実行する。
【００５３】
先ず、ＣＰＵは、インターフェイス部を介して９９ｐ、９９ｑの出力端子から接続されている入口電子弁９６ａ、出口電子弁９６ｂの端子へ開制御信号を出力すると共に、浴槽水供給管１１及び回収管１２にそれぞれ設けた電子弁１１ａ、１２ａへＣＰＵの出力端子９９ｙ、９９ｓから閉制御信号を出力し、その浴槽１０への水の入出流を完全に遮断させ、さらに、濾過水回収管１８の出口とポンプ吸込管１４の入口の間に設けた電子弁１２ｂへインターフェイス部を介してＣＰＵの出力端子９９ｃから開制御信号を出力する。この状態ではポンプ１３により電解槽９１及び濾過水回収管１８からポンプ吸込管１４を介して吸込み、ポンプ排出管１５へ排出し、電解槽９１と濾過装置１６との間を水が循環する。
【００５４】
（８）次に、ＣＰＵは入口／出口ｐＨ計９５、９５ｂで測定されたｐＨ値を入力端子９９ａ、ｂから読込んで、ＣＰＵの作業メモリー上で、時刻をパラメータとして比較し、ｐＨ値の単位時間あたりの増加率及び予め定めた値と一致したかを算出できるようにすると共に、電解槽の隔膜９３を挟む両電極９２、９４へ消毒可能なイオン水を生成可能な範囲にある予め定めた極性と電圧値を直流電源９９ｚの制御端子へ入力し、その極性の電圧値を９９ｘ、９９ｙ端子から出力し、接続された電解槽の電極９２、９４へ印加する。消毒は通常、強酸性イオン水で行い、その場合は、中心棒電極９２が負、円筒状電極が正の極性となるようにする。また、洗浄する場合は強アルカリ性イオン水で行い、その場合は、中心棒電極９２が正、円筒状電極が負の極性となるようにする。
【００５５】
（９）以上の状態で、電解槽９１に対し消毒液または洗浄液となる強酸性または強アルカリ性イオン水を生成させ、所定のｐＨ値になるように、ｐＨ計９５ｂのｐＨ値を読み込みながら、ＣＰＵは電圧値を調整する。以上のようにして電解槽９１により強酸性または強アルカリ性イオン水を生成すると共に、その生成された強酸性または強アルカリ性イオン水は濾過水入力管１７を通り濾過装置１６へ入り、そのフィルターなどを消毒・洗浄して濾過水回収管１８へ入り、直結電子弁１２ｂを通って第２分岐管２２に戻り、ポンプ吸込管１４からポンプ１３に吸込まれ、濾過装置１６の消毒を繰返すことになる。
【００５６】
（１０）ＣＰＵは以上の状態を予め第２のプログラム手段に定めた所定時間、電解槽９１を稼動させた後、洗浄殺菌水排出電子弁１６ａへ開制御信号をインターフェイス部を介して制御部の９９ｑ端子から出力し、強酸性または強アルカリ性イオン水を外部へ排出させ、所定時間後制御部９９をリセットする。
【００５７】
次に、図２に浴場設備の浴槽水ｐＨ維持システムの第２の実施例を示す。図２において図１に使用した符号と同一符号は同じ機能でありその説明を省略する。
【００５８】
第２実施例における濾過装置は砂濾過装置３６の場合である。この水の濾過を行う砂は、通常のフィルター、カートリッジフィルターなどと異なり、特に考慮した消毒を行う必要がある。
【００５９】
すなわち浴槽水１０ａの不純物、浮遊物を取り除き、消毒を効果的に行うには、濾過している上から下への濾過方向にたいして、反対の下から上への方向に消毒水を流入させる必要がある。
【００６０】
このために、図２に示す砂濾過装置３６には、不純物除去、消毒用の配管路が備えられ、強酸性イオン水による消毒ができるようにされている。
【００６１】
濾過水入力管１７の配管の途中に第３の分岐管２３を設け、砂濾過装置３６の下側入出口に第４の分岐管２４を設け、その第３、第４の分岐管２３、２４の間に殺菌洗浄水流入管３５を接続し、その配管中途に電子弁３６ｂを備えている。
【００６２】
また、砂濾過装置３６の上側入・出口に第５の分岐管２５を設け、第３の分岐管２３との間に電子弁３６ｄを備える。
【００６３】
また、第５の分岐管３５には、図示するように殺菌洗浄水排出管３７を接続し、殺菌洗浄水排出電子弁３６ａを介して外部に排出する配管路を備える。
【００６４】
図２の第２実施冷の浴槽水ｐＨ維持システム２の動作は以下の通りである。
【００６５】
（イ）ｐＨ維持装置９０の制御部９９のコンピュータシステムが初期状態にリセットされているときは、第１の分岐管２１から電解槽入口パイプ部９０ａへの電子弁９６ａと、出口パイプ部９０ｂから第２分岐管２２への電子弁９６ｂとは、閉制御信号を受けて、電解槽９１と浴槽水１０ａとは絶縁されている。
【００６６】
なお、初期状態では電子弁１１ａ、１２ａ、３６ｃ、３６ｄは開制御信号により開いており、電子弁９６ｃ、１２ｂ、３６ａ、３６ｂは閉制御信号により閉まっている。
【００６７】
（ロ）以上のように最初電解槽９１が隔離されている初期状態では、浴槽１０の浴槽水１０ａはポンプ１３により浴槽水回収管１２を介して吸込まれ、濾過水入力管１７から電子弁３６ｄを通り、濾過装置３６上部側の第５の分岐管２５から濾過装置３６上側へ入る。濾過された浴槽水１０ａは、濾過装置３６の下部側から出て第４の分岐管２４には入り、電子弁３６ｃを通り、濾過水回収管１８を通過して浴槽水供給管１１へ入り、浴槽１０へ戻る。以上の動作を繰り返す。
【００６８】
（ハ）ここで、制御部９９のＣＰＵは、予めプログラムされている前記第１のプログラム手段を実行する。すなわち、制御部９９のＣＰＵはポンプ１３により砂濾過装置３６を通して浴槽水１０ａを循環させている状態において、第１の所定時間毎又は時刻毎にインターフェイス部を介して出力端子９９ｐ、９９ｑへ開制御信号を出力する。その信号は接続されている入口／出口電子弁９６ａ／９６ｂの制御端子へ入力され入口／出口電子弁９６ａ、９６ｂがそれぞれ開く。
【００６９】
この結果、浴槽水の循環の一部をｐＨ維持装置９０へ循環させると共に、入口ｐＨ計９５ａ、出口ｐＨ計９５ｂからのｐＨ値を接続されている９９ａ，９９ｂへ入力し，Ａ／Ｄ変換器、インターフェイス部などを介してＣＰＵの作業メモリー（一時メモリーＲＡＭ）上に読込み、一定時刻毎、入口／出口毎にその入力されたｐＨ値の単位時間あたりの増加率と、予め定めた所定のｐＨ値に到達しているかを算出できるようにする。
【００７０】
（ニ）次にＣＰＵは、直流電源９９ｚの制御端子へインターフェイス部を介して信号を送り、直流電源９９ｚの直流出力端子９９ｘ、９９ｙからそれらに接続されている負又は正の中心棒電極９２、正又は負の円筒状電極９４の両電極端子へ電圧を印加する。これによって隔膜９３の両側の電極間に直流電界が発生する。
【００７１】
（ホ）以上の制御の結果、電解槽９１へ第１の分岐管２１から流入する浴槽水１０ａは入口パイプ部９０ａを通り、隔膜９３円筒部下側から処理したい水が流入し、イオン化されながらその生成イオン水は隔膜９３円筒部上側へ上昇し、気水分離槽９０ｃでガス抜きされ、出口パイプ部９０ｂを通り、第２の分岐管２２からポンプ１３に吸込まれる。この動作を繰り返す。
【００７２】
（ヘ）この繰り返しの間に、制御部９９のＣＰＵは、プログラム手順中で一定時刻毎に読込んだ入口／出口のｐＨ値を予め定めた天然温泉水に類似させたｐＨ値と比較して、そのｐＨ値に到達又は一致すれば自動的にリセットし、電解槽を休止状態にして、次の開始時間まで待ち状態とする。
【００７３】
なお、ここで予め定めたｐＨ値が、アルカリイオン水の範囲にあるときは中心棒電極９２が負、円筒状電極９４が正となるように直流電圧の極性を印加し、一方、予め定めたｐＨ値が酸性イオン水の範囲にあるときは、中心棒電極９２が正、円筒状電極９４が負となるように直流電圧の極性を印加する。
【００７４】
（ト）次に、制御部９９のＣＰＵは、第２の所定時間毎或いは浴槽休止時間中に以下の第３のプログラム手段を実行する。
【００７５】
先ず、ＣＰＵは、インターフェイス部を介して９９ｐ、９９ｑの出力端子から接続されている入口電子弁９６ａ、出口電子弁９６ｂの端子へ開制御信号を出力すると共に、浴槽水供給管１１及び回収管１２にそれぞれ設けた電子弁１１ａ、１２ａへＣＰＵの出力端子９９ｙ、９９ｓから閉制御信号を出力し、その浴槽１０への水の入出流を完全に遮断させ、さらに、濾過水回収管１８の出口とポンプ吸込管１４の入口の間に設けた電子弁１２ｂへインターフェイス部を介してＣＰＵの出力端子９９ｃから開制御信号を出力する。この状態ではポンプ１３により電解槽９１及び濾過水回収管１８からポンプ吸込管１４を介して吸込み、ポンプ排出管１５へ排出し、電解槽９１と濾過装置３６との間を水が循環する。
【００７６】
（チ）次に、ＣＰＵは入口／出口ｐＨ計９５、９５ｂで測定されたｐＨ値を入力端子９９ａ、ｂから読込んで、ＣＰＵの作業メモリー上で、時刻をパラメータとして比較し、ｐＨ値の単位時間あたりの増加率及び予め定めた値と一致したかを算出できるようにすると共に、電解槽の隔膜９３を挟む両電極９２、９４へ消毒可能なイオン水を生成可能な範囲にある予め定めた極性と電圧値を直流電源９９ｚの制御端子へ入力し、その極性の電圧値を９９ｘ、９９ｙ端子から出力し、接続された電解槽の電極９２、９４へ印加する。消毒は通常、強酸性イオン水で行い、その場合は、中心棒電極９２が負、円筒状電極が正の極性となるようにする。また、洗浄する場合は強アルカリ性イオン水で行い、その場合は、中心棒電極９２が正、円筒状電極が負の極性となるようにする。
【００７７】
（リ）以上の状態で、電解槽９１に対し消毒液または洗浄液となる強酸性または強アルカリ性イオン水を生成させ、所定のｐＨ値になるように、ｐＨ計９５ｂのｐＨ値を読み込みながら、ＣＰＵは出力電圧値を調整する。以上のようにして電解槽９１により強酸性または強アルカリ性イオン水を生成すると共に、その生成された強酸性または強アルカリ性イオン水は濾過水入力管１７を通り濾過装置３６の下側から入るように，ＣＰＵは電子弁３６ｄへ閉制御信号を、電子弁３６ｂヘ開制御信号をインターフェイス部を介して制御部９９の端子９９ｘ、９９ｙより出力して送り、強酸性または強アルカリ性イオン水は第３の分岐管２３から殺菌洗浄水流入管３５へ入り、第４の分岐管２４から砂濾過装置３６の下側から流入する。なお、電子弁３６ｃは、そのとき制御部９９の端子９９ｖからの閉制御信号を受けて閉まっている．さらに、電子弁３６ａは、同時に制御部９９の端子９９ｗからの開制御信号を受けて開いている。
【００７８】
従って、砂濾過装置３６の下側からの流入水は砂の中の不純物、浮遊物などのごみを押し上げ洗浄し、砂に付着している細菌類を消毒し、その強酸性または強アルカリ性イオン水は第５の分岐管２５へ流れて行き、殺菌洗浄水排出管３７を通して外部へ排出される。
【００７９】
（ヌ）ＣＰＵは以上の状態を予め第２のプログラム手段に定めた所定時間、電解槽９１を稼動させた後、殺菌洗浄水排出電子弁１６ａへ開制御信号をインターフェイス部を介して制御部の９９ｑ端子から出力し、強酸性または強アルカリ性イオン水を外部へ排出させ、所定時間後に制御部９９をリセットする。すなわち、第３のプログラム遮断の洗浄消毒モードは終了し、第１のプログラム手段の浴槽水を天然温泉に類似した初手のｐＨ値に維持するモードに戻る。
【図面の簡単な説明】
【００８０】
【図１】浴場設備の浴槽水ｐＨ維持システムの第１の実施例を示す構成図である。
【図２】浴場設備の浴槽水ｐＨ維持システムの第２の実施例を示す構成図である。
【図３】本発明のシステムに用いるｐＨ維持装置を示す構成図である。
【図４】図４に従来の浴場設備に於ける浴槽水不純物濾過方法を示し、（ａ）は通常のフィルター或いはカートリッジ形の濾過装置での消毒液によるフィルターの消毒方法を示し、（ｂ）は、砂濾過装置３６での消毒液による砂の消毒方法を示す図である。
【符号の説明】
【００８１】
１      浴槽水ｐＨ維持システム
２      浴槽水ｐＨ維持システム
１０    浴槽
１０ａ  浴槽水
１１    浴槽水供給管
１１ａ  供給管電子弁
１２    浴槽水回収管
１２ａ  回収管電子弁
１２ｂ  直結電子弁
１３    ポンプ
１３ａ  ポンプ用弁
１３ｂ  逆止弁
１４    ポンプ吸込管
１５    ポンプ排出管
１６    濾過装置、カートリッジフィルター
１６ａ  殺菌洗浄水排出電子弁
１７    濾過水入力管
１８    濾過水回収管
２１    第１の分岐管
２２    第２の分岐管
２３    第３の分岐管
２４    第４の分岐管
２５    第５の分岐管
３５    殺菌洗浄水流入管
３６    砂濾過装置
３６ａ  殺菌洗浄水排出電子弁
３６ｂ  殺菌洗浄水流入電子弁
３６ｃ、３６ｄ  殺菌洗浄水阻止弁
３７    殺菌洗浄水排出管
９０    ｐＨ維持装置
９０ａ  入口パイプ部
９０ｂ  出口パイプ部
９０ｃ  気水分離槽
９０ｅ  ガス抜き管
９０ｆ  スラッジ抜きパイプ
９１    電解槽
９１ａ  電解槽上蓋
９１ｂ  電解質溶液
９２    負または正に中心棒電極
９３    隔膜
９４    正または負の円筒状電極
９５ａ  入口ｐＨ計
９５ｂ  出口ｐＨ計
９６ａ  入口電子弁
９６ｂ  出口電子弁
９９    制御部
９９ａ，９９ｂ  ｐＨ計からの入力端子
９９ｐ〜ｖ  電子弁の出力端子
９９ｚ  制御端子のある直流電源
【図１】
2005305356.tif 000003
【図２】
2005305356.tif 000004
【図３】
2005305356.tif 000005
【図４】
2005305356.tif 000006